(57)【要約】【課題】  リフォームにおいて容易に取り付けができて、握力が弱い人でも容易に使用することができる手摺りを提供する。【解決手段】  断面形状が略矩形状に形成された棒状の手摺り部材２と、この手摺り部材２を支持する手摺り部材取り付け座４と被取付固定部に固定する被固定部取り付け座５とアーム６とを有する手摺り用ブラケット３とからなる手摺りであって、前記手摺り部材２の一辺には長手方向に延びて円弧部７が形成され、この円弧部７に隣接して突出部８が形成されてなる。【選択図】  図１
2006265974.tif 000002
【特許請求の範囲】
【請求項１】
断面形状が略矩形状に形成された棒状の手摺り部材と、該手摺り部材を被取付固定部に固定する手摺り用ブラケットとからなる手摺りであって、
前記手摺り部材の一辺には長手方向に延びて円弧部が形成され、該円弧部に隣接して突出部が形成されてなり、前記手摺り用ブラケットは手摺り部材を取り付ける手摺り部材取り付け座と被取付固定部に固定する被固定部取り付け座とアームとを有してなることを特徴とする手摺り。
【請求項２】
前記突出部は前記円弧部の両側に形成され、該円弧部にそれぞれ連続する辺は外側に傾斜して形成され、略台形状にされている請求項１に記載の手摺り。
【請求項３】
前記円弧部の頂部は前記突出部の外面より低く形成されてなると共に前記手摺り用ブラケットの前記手摺り部材取り付け座に沿うように弧状に形成されてなる請求項１又は２に記載の手摺り。
【発明の詳細な説明】
【技術分野】
【０００１】
本発明は、手摺りに関し、より詳細には、リフォームにおいて容易に取り付けができて、握力が弱い人でも容易に使用することができる手摺りに関する。
【背景技術】
【０００２】
近年、リフォームが盛んに行われるようになっており、その際には、特に高年齢者が快適に生活できるように、段差をスロープにしたり、手摺りを階段から廊下まで連続して設けたり等の種々の改良変更が行われている。
【０００３】
ところで、従来より、図５に示すように、手摺り５１としては円形断面をした手摺り棒部材５２が使用され、手摺り棒部材５２は取付ブラケット５３により被取付部材である壁、柱等に取り付けられて固定される。取付ブラケット５３は、一端側にこの手摺り棒部材５２の円弧部を支持する手摺り部材取り付け座５４を備え、他端側に取付ブラケット５３を被取付部材に固着する被固定部取り付け座５５を備えている。
【０００４】
しかしながら、手摺りの棒状部材は握って身体を支えることがあるが、握力が弱くなっている人が円形断面の棒部材を握って支えるということが困難になることがあった。そこで、握っている部分から握力だけで滑りをなくすのではなく、棒部材の長手方向に多数の凹凸加工を施し、滑りに対する抵抗を増すようにした形状の棒部材も使用されている。
【０００５】
また、手摺り棒部材を支持するブラケットとしては、アームの一端に手摺り取り付け座を設け、アームの他端には壁面取り付け座を設けたものが知られている（例えば、特許文献１参照）。この特許文献１に開示されるブラケットは、壁面取り付け座に取り付けビスを挿通するための取り付け穴を複数個穿設し、壁面前面側にこの前面を覆うようにキャップを被嵌し、壁面取り付け座の前面にキャップ取り付け部を設けてなるものである。
【特許文献１】特開２００１−３２４８９号公報
【発明の開示】
【発明が解決しようとする課題】
【０００６】
しかしながら、従来の円形断面を基本とする手摺り部材では、握力の弱い人が身体を支えるのに使用する場合には、十分に支えきれないという問題があった。また、特許文献１は手摺り部材を取り付けるためのブラケットが開示されているのみであり、握力の弱い人が容易に使用できるような手摺り部材は開示されていない。
【０００７】
本発明は、上記の課題を解決するためになされたもので、リフォームにおいて容易に取り付けができて、握力が弱い人もより容易に使用することができる手摺りを提供することを目的とする。
【課題を解決するための手段】
【０００８】
上記の目的を達成するために、請求項１に係る発明は、断面形状が略矩形状に形成された棒状の手摺り部材と、該手摺り部材を被取付固定部に固定する手摺り用ブラケットとからなる手摺りであって、前記手摺り部材の一辺には長手方向に延びて円弧部が形成され、該円弧部に隣接して突出部が形成されてなり、前記手摺り用ブラケットは手摺り部材を取り付ける手摺り部材取り付け座と被取付固定部に固定する被固定部取り付け座とアームとを有してなることを特徴とする。
【０００９】
また、請求項２記載の発明に係る手摺りは、請求項１記載の発明の構成において、前記突出部は前記円弧部の両側に形成され、該円弧部にそれぞれ連続する辺は外側に傾斜して形成され、略台形状にされている。
【００１０】
また、請求項３記載の発明に係る手摺りは、請求項１又は２に記載の発明の構成において、前記円弧部の頂部は前記突出部の外面より低く形成されてなると共に前記手摺り用ブラケットの前記手摺り部材取り付け座に沿うように弧状に形成されてなっている。
【発明の効果】
【００１１】
請求項１記載の発明によれば、断面形状が略矩形状に形成された棒状の手摺り部材の一辺には長手方向に延びて円弧部が形成され、該円弧部に隣接して突出部が形成されてなる。従って、簡単な構成でもって、従来の手摺り取付ブラケット等がそのまま使用でき、取り付け作業の工数を減らすことができ、安価にリフォームを行うことができる。また、円弧部と突出部との境界の空間部に指先を差し込んで、引っかけることで身体を支えることができるので、握力の弱い人でも容易に使用できる。
【００１２】
また、請求項２記載の発明によれば、前記突出部は前記円弧部の両側に形成され、前記円弧部に連続する前記突出部の辺は外側に傾斜されて形成されてなるので、請求項１の発明の効果に加えて、指先をより一層容易に突出部に掛けることができると共に、取り付け時に左右の位置決めが要らなくなることからも一層取り付け作業を容易にできる。
【００１３】
さらに、請求項３記載の発明によれば、前記円弧部の頂部は前記突出部の外面より低く形成されてなると共に前記手摺り用ブラケットの前記手摺り部材取り付け座に沿うように弧状に形成されてなるので、請求項１の発明の効果に加えて、各種の手摺り取り付け用ブラケットに適用でき、一層手摺りの使用が容易になる。
【発明を実施するための最良の形態】
【００１４】
断面形状が略矩形状に形成された棒状の手摺り部材の一辺には長手方向に延びる断面形状円弧部を形成し、該円弧部に隣接して突出部を形成することで、容易にリフォームで使用することができ、握力の弱い人でも容易に使用できるようにした。
【００１５】
以下、本発明の一実施形態を図面に基づいて詳細に説明する。図１はこの発明の一実施の形態の手摺りを示す一部省略した分解斜視図、図２は手摺りを構成する手摺り部材を示す断面図、図３はその手摺り部材の一部の下面図、図４は手摺り用ブラケットを示す正面図である。
【００１６】
この実施の形態の手摺り１は、棒状の手摺り部材２と、手摺り部材２を被取付固定部に固定する手摺り用ブラケット３とからなる。手摺り用ブラケット３は、手摺り部材２を支持する手摺り部材取り付け座４と被取付固定部に固定する被固定部取り付け座５とアーム６とを有してなる。
【００１７】
手摺り部材２は、断面形状が略矩形状をなして棒状に形成され、一辺（下面）２ａには円弧部７が長手方向に延びて形成され、円弧部７に隣接してこれと平行に突出部８が両側に配置されて形成されている。手摺り部材２の材質としては、木材、樹脂、金属、これらの組み合わせたもの等手摺りに使用できるものであれば、制限されない。本発明の手摺り部材２は円形断面のものに比べて形状が少し複雑になるが、リフォームで簡単に取り替えができ、握力の弱い人でも容易に使えるようになる。
【００１８】
図２及び図３に示すように、手摺り部材２の円弧部７は、矩形断面の手摺り部材２の一面の中央部に切削されて溝部２ｂにより形成されている。円弧部７の半径は手摺り部材２を被固定部材に取り付けるための既設の手摺り用ブラケット３に固定するとき、不都合が生じないように形成されている。即ち、円弧部７の半径は、手摺り部材２を受ける手摺り部材取り付け座４の湾曲半径と略等しい半径に形成されている。このように手摺り部材２に円弧部７が形成されているので、同じ手摺り用ブラケットをそのまま使用でき、リフォームでの手摺りの施工工数を削減でき、費用を節減できる。
【００１９】
円弧部７の両側に形成された突出部８は、円弧部７に隣接して配設され、円弧部７に対向する面８ａが手摺り部材２の中心から外側の下面２ａに向かって円弧部７から離れるように傾斜して形成され、略台形状にされている。そして、円弧部７と突出部８との間に空間を有している。また、突出部８の外側面（下面２ａ）は円弧部７の頂部７ａより高く形成されている。換言すれば、円弧部の頂部７ａは下面２ａより低くされている。そのため円弧部７と突出部８との間の溝部２ｂの空間にきわめて容易に指を差し入れて、突出部８に指を引っかけることができ、握力が弱い人でも手摺りを利用できる。
【００２０】
手摺り用ブラケット３は、この実施例では被固定部は壁等の垂直面用のものが示されている。この手摺り用ブラケット３は、手摺り部材取り付け座４と被固定部取り付け座５とをアーム６によって連結している。手摺り部材取り付け座４にはビス等を挿通する取り付け穴４ａが設けられ、被固定部取り付け座５には被固定部に手摺り用ブラケット３を固定するビス等を挿通する取り付け穴５ａが設けられている。
【００２１】
手摺り用ブラケット３は、リフォームでコスト低減のため、そのまま従来からあるものを使用すればよいので、例えば図４に示すようなものを使用してもよい。図４に示す手摺り用ブラケット１３は、水平の被取付固定部に固定するように形成されている点が上記の例と異なっている。手摺り用ブラケット１３は、手摺り部材２を支持する手摺り部材取り付け座１４と被取付固定部に固定する被固定部取り付け座１５とアーム１６とを有してなる。被固定部取り付け座１５はキャップ１７により表面が覆われて、被固定部材に取り付けるのに用いた手摺り用ブラケットのビス等を露出させないようにしている。これにより、手摺りの外観、特に取り付け用ブラケットの見栄えをよくすることができる。
【００２２】
なお、手摺り部材２、手摺り用ブラケット等の身体が接触する部分の各角部は、丸みを持たせて安全を図っていることは勿論である。また、手摺り部材の円弧部に対向する突出部の対向面に長手方向に指掛けがより容易にできて長手方向へ滑りにくくするように、凹凸を設けてもよい。
【図面の簡単な説明】
【００２３】
【図１】本発明の１実施例における手摺りの一部の斜視図である。
【図２】この手摺りを構成する手摺り部材の断面図である。
【図３】手摺り部材の一部の下面図である。
【図４】手摺り用ブラケットの他の例を示す正面図である。
【図５】従来の手摺りの一部の斜視図である。
【符号の説明】
【００２４】
１    手摺り
２    手摺り部材
３    手摺り用ブラケット
４    手摺り部材取り付け座
５    被固定部取り付け座
７    円弧部
８    突出部
【図１】
2006265974.tif 000003
【図２】
2006265974.tif 000004
【図３】
2006265974.tif 000005
【図４】
2006265974.tif 000006
【図５】
2006265974.tif 000007